(57)【要約】【課題】落下する遊技球で表示器の表示が遮られることなく、表示器で遊技球の転動方向に影響を与えることがなく、落下する遊技球で表示機が破損することがなく、更に、基板を小型化した遊技機用風車を提供すること。【解決手段】遊技機用風車１Ａにおいては、遊技機の遊技盤２０に固定される基板４と、その基板４に対して回動自在に支持された環状の風車本体１８と、その風車本体１８内にて視認可能に配置された表示器５とを備える。また、風車本体１８を基板４に対して回動自在に支持するために、基板４から突設された中空軸５を備え、かかる中空軸１８は風車本体１８と表示器５の間に介在する。尚、表示器７、１５の四隅を利用することによって、風車本体１８を基板４に対して回動自在に支持してもよい。【選択図】図１
2007196051.tif 000002
【特許請求の範囲】
【請求項１】
遊技機の遊技盤に固定される基板と、
前記基板に対して回動自在に支持された環状の風車本体と、
立方体形状をした表示器とを有する遊技機用風車において、
前記表示器の四隅が前記風車本体を前記基板に対して回動自在に支持することを特徴とする遊技機用風車。
【発明の詳細な説明】
【技術分野】
【０００１】
本発明は、パチンコ機などの遊技機の遊技盤に取り付けられる遊技機用風車に関する。
【背景技術】
【０００２】
従来、パチンコ機の遊技盤には、落下する遊技球の転動方向を任意化する遊技機用風車が設けられており、パチンコ機の派手な演出が進展するに伴って、遊技機用風車は電飾化されるようになった。例えば、特開昭６１−１８７８７９号公報においては、風車の回転速度に同期乃至比例した周期で発光体を点滅させたり、回転回数を数値化して表示したりする等して、電飾化が図られたパチンコ機用風車が記載されている。
【０００３】
ここで、特開昭６１−１８７８７９号公報に記載されたパチンコ機用風車の概要を図１１、図１２を用いて説明する。図１１は、パチンコ機用風車の正面図である。図１２は、パチンコ機の盤面上に取り付けられたパチンコ機用風車の断面図である。パチンコ機用風車１００は、ベース板１０２を有し、その周辺部に適当に設けてある取付孔１０３にネジをネジ込むこと等により、パチンコ機の盤面１０４の開口１０５が形成されている箇所に固定される。ベース板１０２には、裏面側にあって開口１０５内に伸び出すスリーブ１０６が設けられ、このスリーブ１０６内には軸方向に回転軸１０７が通っている。
【０００４】
ベース板１０２の表側に突き出した回転軸１０７の部分には、周方向に１２０゜間隔で三枚の放射状の羽根１０８を有する共に、これら羽根１０８の前縁を覆って望ましくは透明な前面盤１０９を設けた羽根車１１０が固定されている。また、パチンコ機の盤面１０４の裏面側にあって、回転軸１０７の端部には、円盤１１１が固定され、この円盤１１１は羽根車１１０と共に回転することができる。
【０００５】
また、ベース板１０２の裏側には、発光体支持基板１１２があり、これに周方向に１２０゜間隔で三個のランプ１１３が備えられている。このランプ１１３が発する光は、羽根１０８の回転領域を照明し、羽根車１１０の前面盤１０９を介して遊技者が視認することができる。また、十進数の表示ディスプレイ１１４がベース板１０２の最も目立つ位置である上部に設けられ、裏面側にディスプレイ基板１１５上にて支持されている。また、羽根車１１０と共に回転する部分である円盤１１１には、回転検出のための回転検出センサ１１９が備えられている。
【０００６】
このような構成を有するパチンコ機用風車１００は、羽根車１１０の回転速度を円盤１１１の回転を介して回転検出センサ１１９が検出することによって、羽根車１１０の回転周期に同期乃至比例した周期で発光体１１３を点滅させたり、羽根車１１０の回転回数を数値化して表示ディスプレイ１１４に表示したりすることができる。従って、このように電飾化されたパチンコ機用風車１００は、パチンコ機の盤面１０４上に取り付けられることによって、かかるパチンコ機の派手な演出を助長することができる。
【特許文献１】特開昭６１−１８７８７９号公報
【発明の開示】
【発明が解決しようとする課題】
【０００７】
しかしながら、上述したパチンコ機用風車１００においては、表示ディスプレイ１１４の前面がベース板１０２から露出しているので、落下する遊技球が表示ディスプレイ１１４に当たることがあり、落下する遊技球で表示ディスプレイ１１４の表示が遮られたり、羽根車１１０の回転以外の表示ディスプレイ１１４で遊技球の転動方向に影響を与えたり、落下する遊技球で表示ディスプレイ１１４が破損する問題点があった。
【０００８】
また、上述したパチンコ機用風車１００においては、表示ディスプレイ１１４はベース板１０２の上部に設けられており、ベース板１０２上には、少なくとも、羽根車１１０と表示ディスプレイ１１４の両方の設置スペースを確保する必要があるので、パチンコ機用風車１００全体が大きくなる問題点があった。
【０００９】
そこで、本発明は、上述した問題点を解決するためになされたものであり、環状の風車本体内に表示器を配置することによって、落下する遊技球で表示器の表示が遮られることがなく、表示器で遊技球の転動方向に影響を与えることがなく、落下する遊技球で表示器が破損することがなく、さらに、基板を小型化した遊技機用風車を提供することを目的とする。
【課題を解決するための手段】
【００１０】
この目的を達成するために成された請求項１に係る遊技機用風車は、遊技機の遊技盤に固定される基板と、前記基板に対して回動自在に支持された環状の風車本体と、立方体形状をした表示器とを有する遊技機用風車において、前記表示器の四隅が前記風車本体を前記基板に対して回動自在に支持することを特徴とする。
【００１１】
このような構成を有する本発明の遊技機用風車は、環状の風車本体が基板に回動自在に支持されており、基板を介して遊技盤に固定された状態において、風車本体に落下する遊技球が当たることによって、風車本体を遊技球の転動方向に回転させることができる。また、風車本体内に配置された表示器は風車本体と共に回動することはなく、表示器の内容を常に視認することができる。
【００１２】
このように、風車本体を基板に対して回動自在に支持するために、立方体形状をした表示器を用いた場合は、表示器の四隅の外側において風車本体が支持されるので、風車本体内に表示器を配置した状態を確保することができる。この場合において、表示器の四隅に風車本体が当接されて、その支持部の周囲に風車本体がある。
【００１３】
すなわち、本発明の遊技機用風車では、表示器が風車本体内に配置されて、表示器が基板から露出しておらず、遊技盤に固定された状態においては、落下する遊技球が表示器に当たることがないので、落下する遊技球で表示器の表示が遮られることがなく、表示器で遊技球の転動方向に影響を与えることがなく、落下する遊技球で表示器が破損することもない。また、表示器が風車本体内に配置されて、表示器の設置スペースを基板上に確保する必要がなくなるので、基板を小型化することができる。さらに、表示器の周囲で風車本体が回動するので、表示器の装飾性を高めることができる。
【発明の効果】
【００１４】
本発明の遊技機用風車では、表示器が風車本体内に配置されて、表示器が基板から露出しておらず、遊技盤に固定された状態においては、落下する遊技球が表示器に当たることがないので、落下する遊技球で表示器の表示が遮られることがなく、表示器で遊技球の転動方向に影響を与えることがなく、落下する遊技球で表示器が破損することもない。また、表示器が風車本体内に配置されて、表示器の設置スペースを基板上に確保する必要がなくなるので、基板を小型化することができる。さらに、表示器の周囲で風車本体が回動するので、表示器の装飾性を高めることができる。
【発明を実施するための最良の形態】
【００１５】
以下、本発明の第１実施の形態の遊技機用風車を図１〜図７を用いて説明する。図１は第１実施の形態の遊技用風車１Ａの斜視図である。図２は第１実施の形態の遊技用風車１Ａの正面図である。図３は第１実施の形態の遊技用風車１Ａの裏面図である。図４は第１実施の形態の遊技用風車を図２の線Ｂ−Ｂで切断した断面図である。図５は第１実施の形態の遊技用風車１Ａを図２の線Ａ−Ａで切断した断面図である。図６は第１実施の形態の遊技用風車１Ａの分解組立図である。図７は第１実施の形態の遊技用風車１Ａが取り付けられたパチンコ機の遊技盤２０の正面図である。
【００１６】
図７に示すように、第１実施の形態の遊技用風車１Ａは、パチンコ機の遊技盤２０に取り付けられるものである。ここで、第１実施の形態の遊技用風車１Ａの構造について、図６を参照にして、第１実施の形態の遊技用風車１Ａの組立手順に従いながら説明する。先ず、表示形態がセブンセグメントである表示器７を、かかる表示器７の裏面に設けられた表示器基板８を介して、基板４から突設された支持部である中空軸５内にはめ合わす。図示はしないが、表示器７のリード線は基板４の穴４Ａを通って基板４の背面側に導かれる。また、環状の回転胴体３の外周に６枚の羽根２が設けられた風車本体１８を、基板４の中空軸５に遊嵌する。さらに、抜止部材１０を基板４の中空軸５の前面に当接させ、固定ネジ１１を基板４の固定穴５Ａにネジ込むことによって、抜止部材１０を基板４の中空軸５に固定する。
【００１７】
従って、基板４の中空軸５に対して風車本体１８が回動しても、抜止部材１０は回動することはない。また、風車本体１８は基板４と抜止部材１０で挟持された状態になるので（図４、図５参照）、基板４の中空軸５に対して回動する風車本体１８が正面側に抜けることはない。また、風車本体１８の回転胴体３の外縁は面取りしてあるので、基板４や抜止部材１０に当接する部分（すなわち、外縁）に摩擦が発生することがなく（図４、図５参照）、風車本体１８はスムーズに回動する。また、抜止部材１０のリブ１０Ａは基板４の中空軸５内に挿入し表示器基板８を押さえつけるので（図５参照）、表示器７は基板４の中空軸５内に固定される。さらに、抜止部材１０には凸状のレンズ９が設けられているので、表示器７の表示は拡大される。尚、基板４の中空軸５の内周面はメッキ処理が施されている。
【００１８】
また、基板４の背面側において、発光ダイオード素子１３を設けた発光ダイオード素子基板１２を、固定ネジ１４を介して基板４のリブ部４Ｂに固定する。基板４は光を通すものであるから、正面側から基板４を通して発光ダイオード素子１３の発光を十分に確認することができる。尚、図示はしないが、発光ダイオード素子１３のリード線は発光ダイオード素子基板１２の背面側に導かれている。
【００１９】
このような構造を持つ遊技用風車１Ａは、図７のパチンコ機の遊技盤２０に基板４の固定穴６を介して取り付けられる。このとき、表示器７のリード線と発光ダイオード素子１３のリード線を遊技盤２０の配線系統に接続することにより、表示器７と発光ダイオード素子１３を関連させて制御させることができる。
【００２０】
すなわち、第１実施の形態の遊技機用風車１Ａにおいては、図７の遊技盤２０に固定された基板４の中空軸５内に表示器７が配置されているので、風車本体１８の回転に伴い表示器７が回転することはない。また、光を通す基板４の背面側に発光ダイオード素子１３を設けているので、遊技者は発光ダイオード素子１３を基板４を介して視認することができる。また、表示器７は基板４の中空軸５内に配置されており、発光ダイオード素子１３は基板４の背面側に設けているので、表示器７と発光ダイオード素子１３は風車本体１８と干渉することがなく、表示器７と発光ダイオード素子１３が風車本体１８の回動に影響を与えることはない。
【００２１】
また、発光ダイオード１３は基板４から露出しておらず、図７の遊技盤２０に固定された状態においては、落下する遊技球が発光ダイオード１３に当たることがないので、発光ダイオード１３で遊技球の転動方向に影響を与えることがなく、落下する遊技球で発光ダイオード１３が破損することもない。
【００２２】
また、表示器７は正しく固定されていないと遊技者は表示器７を視認したとき等に違和感を覚えるが、表示器基板８が基板４の中空軸５内にはめ合わされることによって、基板４の中空軸５内における表示器７の固定位置が特定されるので、表示器７は遊技機用風車１Ａに対して常に正しく固定され、ひいては、遊技機用風車１Ａが図７の遊技盤２０に基板４を介して取り付けられることによって、表示器７は図７の遊技盤２０に対して常に正しく取り付けられるので、遊技者に違和感を感じさせない。また、遊技機用風車１Ａを製造する際において、表示器７の固定位置を特定する作業の煩わしさから開放される。また、基板４の中空軸５内がメッキ処理されているので、表示器７の表示が鮮やかになる。
【００２３】
尚、表示器基板８の形状を略Ｔ字型としたので、作業者が表示器７の天地を誤って基板４（の中空軸５内）に取り付けることを防止することができる。また、基板４の上部に凹部を設けたので、作業者が基板４の天地を誤って遊技盤２０に取り付けることを防止することができる。これにより、基板４の天地を介して、表示器７の天地を誤ることも防止することができる。
【００２４】
また、例えば、表示器７が特定内容を表示する際に発光ダイオード素子１３が点滅するように、表示器７と発光ダイオード素子１３を関連して制御することによって、表示器７が特定内容を表示したことを遊技者に発光ダイオード素子１３の点滅によって報知することができる。
【００２５】
また、表示器７の表示形態がセブンセグメントであり、数字などを表示することができるので、遊技機用風車１Ａが取り付けられた図７の遊技盤２０の入賞口２１に入賞した遊技球の数や、入賞口２２の開放動作の数などを表示することができる。特に、近年のパチンコ機においては、その遊技盤２０の中央に位置する特別図柄表示装置２３が大型化しており、セブンセグメントの表示形態の普通図柄装置をかかる特別図柄表示装置２３に隣接させて取り付けることは大変に困難になっているが、こうした場合には、パチンコ機の遊技盤２０に取り付けた遊技機用風車１Ａの表示器７をセブンセグメントの表示形態の普通図柄装置として使用することによって解決することができる。
【００２６】
また、基板４の中空軸５に遊嵌される風車本体１８の回転胴体３の外縁を面取りしたことによって、回転胴体３と基板４との摩擦が格段に減少するので、風車本体１８を基板４の中空軸５に対して遊技球の転動方向にスムーズに回転させることができる。
【００２７】
次に、本発明の第２実施の形態の遊技機用風車を、図８を用いて説明する。第２実施の形態の遊技機用風車１Ｂは、第１実施の形態の遊技機用風車１Ａと比べ、表示形態がドットマトリクスである表示器１５を使用する点が異なっている。第２実施の形態の遊技機用風車１Ｂにおいては、例えば、図８に示すように、いわゆる「大当り」の発生からその終了までの間に、３つの文字の「大」、「当」、「り」を順に表示するとともに、発光ダイオード素子１３を点滅させるなどの制御を行えば、近年のパチンコ機の派手な演出を助長することができる。
【００２８】
すなわち、表示形態がドットマトリックスである表示器１５は、文字や数字や図柄などを順番に表示して一つのメッセージを表示することができるので、遊技者にそのメッセージを確実に伝えることができる。また、遊技機用風車１Ｂを図７の遊技盤２０などに取り付けた場合に、表示器１５が表示する内容や発光ダイオード素子１３の点滅などを遊技機のいわゆる「役」にも関連させると、遊技機の派手な演出をさらに助長することができる。
【００２９】
次に、本発明の第３実施の形態の遊技機用風車を、図９、図１０を用いて説明する。図９は第３実施の形態の遊技用風車１Ｃの正面図である。図１０は第３実施の形態の遊技用風車１Ｃを図９の線Ａ−Ａで切断した断面図である。第３実施の形態の遊技機用風車１Ｃは、第１実施の形態の遊技機用風車１Ａと比べ、基板４の支持部である突起部材１６が３つ突設された点が異なっている。３つの突起部材１６は、環状の風車本体１８に内接するように突設される。第３実施の形態の遊技機用風車１Ｃにおいては、抜止部材１０を基板４の突起部材１６の前面に当接させ、固定ネジ１７を突起部材１６の固定穴にネジ込むことによって（図１０参照）、抜止部材１０を基板４の突起部材１６に固定する。従って、基板４の突起部材１６に対して風車本体１８が回動しても、抜止部材１０は回動することはない。
【００３０】
以上詳細に説明したように、第１実施の形態、第２実施の形態、第３実施の形態の遊技機用風車１Ａ、１Ｂ、１Ｃは、環状の風車本体１８が基板４に回動自在に支持されており、基板４を介して図７の遊技盤２０に固定された状態において、風車本体１８に落下する遊技球が当たることによって、風車本体１８を遊技球の転動方向に回転させることができる。また、風車本体１８内に配置された表示器７、１５は、基板４に突設された中空軸５などに支持されて、風車本体１８の内側に接触することがないので、表示器７、１５が風車本体１８の回動に影響を与えることはない。よって、表示器７、１５は風車本体１８と共に回動することはなく、表示器７、１５の内容を常に視認することができる。
【００３１】
このように、風車本体１８を基板４に対して回動自在に支持するために、基板４から突設された支持部（５、１６）を用いた場合は、風車本体１８と表示器７、１５の間に支持部（５、１６）が介在するので、風車本体１８内に表示器７、１５を配置した状態を確保することができる。支持部が中空軸５である場合には、かかる中空軸５に環状の風車本体１８を外嵌させることにより行う。また、支持部が３つの突起部材１６からなる場合には、環状の風車本体１８と内接する円上に３つの突起部材１６を設けて、かかる３つの突起部材１６に対して環状の風車本体１８をはめ合わせることにより行う。いずれの場合においても、表示器７、１５の周囲に支持部（５、１６）があり、支持部（５、１６）の周囲に風車本体１８がある。
【００３２】
すなわち、第１実施の形態、第２実施の形態、第３実施の形態の遊技機用風車１Ａ、１Ｂ、１Ｃでは、表示器７、１５が風車本体１８内に配置されて、表示器７、１５が基板４から露出しておらず、図７の遊技盤２０に固定された状態においては、落下する遊技球が表示器７、１５に当たることがないので、落下する遊技球で表示器７、１５の表示が遮られることがなく、表示器７、１５で遊技球の転動方向に影響を与えることがなく、落下する遊技球で表示器７、１５が破損することもない。また、表示器７、１５が風車本体１８内に配置されて、表示器７、１５の設置スペースを基板４上に確保する必要がなくなるので、基板４を小型化することができる。さらに、表示器７、１５の周囲で風車本体１８が回動するので、表示器７、１５の装飾性を高めることができる。
【００３３】
尚、本発明は上記実施の形態に限定されるものでなく、その趣旨を逸脱しない範囲で様々な変更が可能である。例えば、上記実施の形態の遊技機用風車１Ａ、１Ｂ、１Ｃにおいては、風車本体１８の外周の形状は円形であるが、多角形の形状を有していてもよい。また、上記実施の形態の遊技機用風車１Ａ、１Ｂにおいては、表示器基板８が基板４の中空軸５内にはめ合わされることによって、基板４の中空軸５内における表示器７、１５の固定位置を特定しているが、表示器７、１５の周囲を非対称な形状にすることによって、中空軸５内にはめ合わせてもよい。
【００３４】
また、上記実施の形態の遊技機用風車１Ａ、１Ｂ、１Ｃにおいては、発光ダイオード素子１３を使用しているが、蛍光表示管、陰極線管、冷陰極放電管、プラズマディスプレイパネル、エレクトロルミネッセンス、液晶などを用いてもよい。また、発光ダイオード素子１３の表示動作は点滅動作に限るものでなく、輝度の増減動作などでもよい。さらに、表示素子として液晶などを用いる場合には、着色の変更動作や画像表示動作などでもよい。
【００３５】
また、上記実施の形態の遊技機用風車１Ａ、１Ｂ、１Ｃはパチンコ機の遊技盤２０に取り付けられているが、落下する小遊技体や斜面上をころがる小遊技体を用いる遊技盤に対しても使用することができる。
【００３６】
また、上記実施の形態の遊技機用風車１Ａ、１Ｂ、１Ｃにおいては、発光ダイオード素子１３は基板４の背面側に設けているが、発光ダイオード素子１３などを設けなくても、表示器７、１５のみに対する効果を得ることができる。
【００３７】
また、上記実施の形態の遊技機用風車１Ａ、１Ｂ、１Ｃにおいては、支持部材である中空軸５や突起部材１６を用いて、風車本体１８を基板４に対して回動自在に支持しているが、円弧状のリブなどを支持部として用いてもよい。また、表示器７、１５の四隅を利用することによって、風車本体１８を基板４に対して回動自在に支持してもよい。
【００３８】
また、上記実施の形態の遊技機用風車１Ａ、１Ｂ、１Ｃにおいては、風車本体１８内にある中空軸５や突起部材１６の中に表示器７、１５を配置しているが、必ずしもこれに限定することはない。例えば、発光ダイオード素子基板１２に表示器基板８を配し、かかる表示器基板８に設けられた表示器７、１５の表示面が、基板４から突設された中空軸５や突起部材１６から視認できるようにしてもよい。この場合は、表示器７、１５が中空軸５や突起部材１６の中に配置されないので、中空軸５や突起部材１６を考慮することなく、表示器７、１５を大きくすることができる。
【図面の簡単な説明】
【００３９】
【図１】本発明の第１実施の形態の遊技用風車の斜視図である。
【図２】本発明の第１実施の形態の遊技用風車の正面図である。
【図３】本発明の第１実施の形態の遊技用風車の裏面図である。
【図４】本発明の第１実施の形態の遊技用風車を図２の線Ｂ−Ｂで切断した断面図である。
【図５】本発明の第１実施の形態の遊技用風車を図２の線Ａ−Ａで切断した断面図である。
【図６】本発明の第１実施の形態の遊技用風車の分解組立図である。
【図７】本発明の第１実施の形態の遊技用風車が取り付けられたパチンコ機の遊技盤の正面図である。
【図８】本発明の第２実施の形態の遊技用風車の表示内容を示した図である。
【図９】本発明の第３実施の形態の遊技用風車の正面図である。
【図１０】本発明の第３実施の形態の遊技用風車を図９の線Ａ−Ａで切断した断面図である。
【図１１】従来技術の遊技用風車の正面図である。
【図１２】従来技術の遊技用風車の断面図である。
【符号の説明】
【００４０】
１Ａ，１Ｂ，１Ｃ…遊技用風車、４…基板、５…中空軸（支持部）、７，１５…表示器、１６…突起部材（支持部）、１８…風車本体、２０…遊技機の遊技盤。
【図１】
2007196051.tif 000003
【図２】
2007196051.tif 000004
【図３】
2007196051.tif 000005
【図４】
2007196051.tif 000006
【図５】
2007196051.tif 000007
【図６】
2007196051.tif 000008
【図７】
2007196051.tif 000009
【図８】
2007196051.tif 000010
【図９】
2007196051.tif 000011
【図１０】
2007196051.tif 000012
【図１１】
2007196051.tif 000013
【図１２】
2007196051.tif 000014